Podtech/llm-jp-corpus-v4-ja_patent huggingface dataset:
【手続補正書】
【提出日】平成16年10月27日(2004.10.27)
【手続補正１】
【補正対象書類名】明細書
【補正対象項目名】特許請求の範囲
【補正方法】変更
【補正の内容】
【特許請求の範囲】
【請求項１】  タイヤの走行中に路面と接触する走行面を構成することを意図した外面と、走行中に摩耗されかつ本質的に横方向の複数のカットアウト（１２、１３）が設けられた最大厚さＰｂと、複数のカットアウトが設けられた少なくとも１つのリブとを有するトレッド（１１）であって、タイヤが新しいときに、各カットアウトが、走行面で見て、
２ｍｍより大きい幅および前記カットアウトの全深さの３０〜８０％の深さＰｔをもつ少なくとも１つの第一部分（１２１、１３２、１３３）を有し、該第一部分（１２１、１３２、１３３）は、中空ゾーンを形成しかつ切込みを形成する２ｍｍより小さい幅をもつ少なくとも１つの部分（１２１′、１３２′、１３３′）によりトレッドの厚さ内に延長され、
２ｍｍより小さい幅および前記カットアウトの全深さの３０〜８０％の深さＰｔをもつ少なくとも１つの第二部分（１２２、１２３、１３１）を有し、該第二部分（１２２、１２３、１３１）は切込みを形成しかつ第一部分の軸線方向延長上にあり、第二部分は、２ｍｍより大きい幅をもつ少なくとも１つの部分（１２２′、１３２′、１３３′）によりトレッドの厚さ内に延長されており、
走行面に開口する全ての中空ゾーンが、摩耗されるべきトレッドの体積の少なくとも１０％に等しい全中空体積を形成しているトレッド（１１）において、
第一部分（１２１、１３２、１３３）の深さ以上の均一摩耗後に、走行面に開口する中空ゾーンの全体積は新しいときに走行面に開口している中空ゾーンの全初期体積の８０〜１５０％であり、切込み（１２１′、１３２′、１３３′）を形成するカットアウトの部分の平均幅が２ｍｍより小さく、中空ゾーン（１２２′、１３２′、１３３）を形成するカットアウトの部分の平均厚さは２ｍｍ以上でありかつ切込みを形成するカットアウトの部分の平均厚さの最大でも１０倍に等しいことを特徴とするトレッド。
【請求項２】  切込み（１２１′、１３２′、１３３′）を形成するカットアウトの各部分の平均幅は０．６ｍｍ以下であり、中空ゾーン（１２２′、１３２′、１３３）を形成するカットアウトの各部分の平均厚さは少なくとも３ｍｍに等しいことを特徴とする請求項１記載のトレッド。
【請求項３】  切込みを形成するカットアウトの部分の少なくとも１つが２つのゴム壁により形成されており、該ゴム壁には、両壁間の少なくとも或る相対移動を制限するため、一方の壁が他方の壁と噛み合うことを可能にする手段が設けられていることを特徴とする請求項１または２記載のトレッド。
【請求項４】  重車両の駆動車軸に装着することを意図した、請求項１〜３のいずれか１項記載のトレッドが設けられていることを特徴とするタイヤ。
【請求項５】  成形要素をタイヤ金型内に係止することを意図した第一領域と、ゴムトレッドにカットアウトを成形するための金型の成形表面から突出することを意図した第二領域とを有する、タイヤトレッドにカットアウトを成形するための金型に取付けられる成形要素（１４）において、第二領域は、２ｍｍより小さい平均厚さをもつ複数の薄い部分（１４１）と、２ｍｍ以上の平均厚さをもつ複数の厚い部分（１４２）とにより形成され、少なくとも１つの薄い部分が、厚い部分により２つの別方向に延長されていることを特徴とする成形要素。
【請求項６】  前記厚い領域（１４２）は、成形品の取出しを容易にするため、薄い部分（１４１）の平均厚さ（Ｅ１）の最大でも１０倍に等しい平均厚さ（Ｅ２）を有することを特徴とする請求項５記載の成形要素。
【手続補正書】
【提出日】平成15年6月19日(2003.6.19)
【手続補正１】
【補正対象書類名】明細書
【補正対象項目名】特許請求の範囲
【補正方法】変更
【補正の内容】
【特許請求の範囲】
【請求項１】
内部中空を有するコネクタを含むリテイナーと、
点火器と、
前記点火器から前記コネクタの内部中空へ伸びる複数の導線と、
前記点火器の周囲にオーバーモールドされ、且つ前記リテイナーの奥に形成される非導電体と、
構造的に支える前記非導電体の外面に、密に接しつつ覆っており、前記リテイナーに装着して実質的な気密シールを形成する金属カップと、
を備えることを特徴とする、加圧ガスを含むシールドガスユニットへの挿入用パイロテクニック開始装置。
【請求項２】
前記カップは金属製であることを特徴とする請求項１に記載の開始装置。
【請求項３】
前記リテイナーは金属製であり、前記カップは前記リテイナーに溶接されていることを特徴とする請求項１に記載の開始装置。
【請求項４】
前記リテイナーから外側に突出するフランジを更に備えることを特徴とする請求項１に記載の開始装置。
【請求項５】
前記フランジは実質的に環状であることを特徴とする請求項４に記載の開始装置。
【請求項６】
前記リテイナーから前記非導電体の中へ進入するモールディング特徴要素を更に備えることを特徴とする請求項１に記載の開始装置。
【請求項７】
前記モールディング特徴要素は実質的に環状であることを特徴とする請求項６に記載の開始装置。
【請求項８】
前記モールディング特徴要素にノッチを更に備えることを特徴とする請求項６に記載の開始装置。
【請求項９】
内部中空を有するコネクタを含む金属リテイナーと、
前記リテイナーから外側に突出するフランジと、
点火器と、
前記点火器から前記コネクタの内部中空へ伸びる複数の導線と、
前記点火器がシールドガスユニット内の圧力から生じる力を実質的に受けないように、前記点火器の周囲にオーバーモールドされ、且つ前記リテイナーの奥に形成される非導電体と、
前記リテイナーから前記非導電体へ進入する、切込みをつけた環状のモールディング特徴要素と、
前記非導電体の外面を覆っており、且つ前記リテイナーに溶接され実質的な気密シールを形成する、構造負荷を実質的にもたない金属カップと、
を備えることを特徴とする、加圧ガスを含むシールドガスユニットへの挿入用パイロテクニック開始装置。
【請求項１０】
差込口及びバーストディスクを備えるシールドガスユニットと、
前記差込口に挿入されたパイロテクニック開始装置と、
を備えるパイロテクニックシステムであって、
前記開始装置は、
内部中空を有するコネクタを含むリテイナーと、
点火器と、
前記点火器から前記コネクタの内部中空へ伸びる複数の導線と、
前記非導電体の外面に密に接しつつ覆っており、前記リテイナーに装着して気密シールを形成するカップと、
前記非導電体の外面を覆っており、前記リテイナーに装着して気密シールを形成するカップと、
前記リテイナーから外側に突出し、且つ前記シールドガスユニットに装着するフランジと、
を備えることを特徴とするパイロテクニックシステム。
【請求項１１】
前記フランジ及び前記シールドガスユニットは金属製であり、前記フランジは前記シールドガスユニットに溶接されていることを特徴とする請求項１０に記載のパイロテクニックシステム。
【手続補正書】
【提出日】平成15年11月13日(2003.11.13)
【手続補正１】
【補正対象書類名】明細書
【補正対象項目名】特許請求の範囲
【補正方法】変更
【補正の内容】
【特許請求の範囲】
【請求項１】
第一の成分および第二の成分を含んでなる、安定な生物活性化合物を対象者へデリバリーするための組成物であって、
上記の第一の成分が、上記の生物活性剤を含有した、糖ガラス、金属カルボキシレートガラスまたはホスフェートガラスの微粒子からなり、上記の糖ガラス、金属カルボキシレートガラスまたはホスフェートガラスが場合によりガラス形成促進剤化合物を含有し、
上記の第二の成分が、上記の第一の成分が不溶性でかつ分散される少くとも１種の生物適合性液体ペルフルオロカーボンからなり、その液体ペルフルオロカーボンが場合により界面活性剤を含有している、上記組成物を、ヒトである対象者へ投与するステップからなる、上記対象者へ生物活性物質をデリバリーするための方法。
【手続補正書】
【提出日】平成16年10月19日(2004.10.19)
【手続補正１】
【補正対象書類名】明細書
【補正対象項目名】特許請求の範囲
【補正方法】変更
【補正の内容】
【特許請求の範囲】
【請求項１】  （ａ）血小板活性化因子（ＰＡＦ）阻害剤と、（ｂ）アラキドン酸カスケードを妨害する抗酸化剤とを含む医薬組成物。
【請求項２】  前記血小板活性化因子（ＰＡＦ）阻害剤（ａ）がギンコリドである、請求項１に記載の医薬組成物。
【請求項３】  前記ギンコリドが、ギンコウ・ビロバ、又は該ギンコウ・ビロバの抽出物又は成分を含む、請求項２に記載の医薬組成物。
【請求項４】  前記抗酸化剤（ｂ）がＮＡＤＰＨオキシド阻害剤である、請求項１〜３のいずれか１項に記載の医薬組成物。
【請求項５】  前記抗酸化剤（ｂ）がグルタチオン合成を増加させる、請求項１〜３のいずれか１項に記載の医薬組成物。
【請求項６】  前記抗酸化剤（ｂ）が好中球酸化的バースト拮抗体である、請求項１〜４のいずれか１項に記載の医薬組成物。
【請求項７】  前記抗酸化剤（ｂ）がアポシニンである、請求項１〜６のいずれか１項に記載の医薬組成物。
【請求項８】  前記アポシニンが単離形態にある、請求項７に記載の医薬組成物。
【請求項９】  天然形のアポシニンをさらに含む、請求項１〜８のいずれか１項に記載の医薬組成物。
【請求項１０】  天然形の前記アポシニンが、ピクロリザ・クロラ（picrorrhiza kurroa）、アポシナム・カンナビニウム（apocynum cannabinium）、アポシニム・ベナタム（apocynum venatum）及びアポシナム・アンドロサエミフォリウム（apocynum androsaemifolium）のうちの１つ以上の形態にある、請求項９に記載の医薬組成物。
【請求項１１】  界面活性剤をさらに含む、請求項１〜１０のいずれか１項に記載の医薬組成物。
【請求項１２】  ジメチルスルホンをさらに含む、請求項１〜１１のいずれか１項に記載の医薬組成物。
【請求項１３】  ギンコウ・ビロバとアポシニンとを含み；
ギンコウ・ビロバ：アポシニンの質量比が約３：１０〜約６０：１である、請求項１〜１２のいずれか１項に記載の医薬組成物。
【請求項１４】  ギンコウ・ビロバ：アポシニンの質量比が約６：１〜約０．４：１である、請求項１３に記載の医薬組成物。
【請求項１５】  炎症性疾患、血栓症、心臓の問題、及び／又は、血小板誘発性の血液凝固によって引き起こされる状態を治療又は軽減するのに用いられる、請求項１〜１４のいずれか１項に記載の医薬組成物。
【請求項１６】  炎症性呼吸器疾患の治療又は軽減に用いられる、請求項１５に記載の医薬組成物。
【請求項１７】  炎症性呼吸器疾患を治療するための経口活性医薬品であって、（ａ）血小板活性化因子（ＰＡＦ）阻害剤と、（ｂ）アラキドン酸カスケードを妨害する抗酸化剤とを含む前記経口活性医薬。
【請求項１８】  喘息を治療するための、請求項１７に記載の経口活性医薬。
【請求項１９】  ヒトにおける炎症性疾患、血栓症、心臓の問題、及び／又は、血小板誘発性の血液凝固によって引き起こされる状態の治療又は予防用医薬組成物であって、（ａ）血小板活性化因子（ＰＡＦ）阻害剤と、（ｂ）アラキドン酸カスケードを妨害する抗酸化剤を含む、前記医薬組成物。
【請求項２０】  前記血小板活性化因子（ＰＡＦ）阻害剤がギンコウ・ビロバである、請求項１９に記載の医薬組成物。
【請求項２１】  前記ギンコウ・ビロバが１ｍｇ／ｋｇ体重〜２５ｍｇ／ｋｇ体重（ギンコウ・フラボン・グリコシド２４％として標準化）の一日用量で、ヒトに投与される、請求項２０に記載の医薬組成物。
【請求項２２】  前記抗酸化剤（ｂ）がアポシニンである、請求項１９〜２１のいずれか１項に記載の医薬組成物。
【請求項２３】  前記アポシニンが６０μｇ／ｋｇ体重〜２０ｍｇ／ｋｇ体重の一日用量で、ヒトに投与される、請求項２２に記載の医薬組成物。
【請求項２４】  抗酸化剤（ｂ）の天然形が投与される、請求項１９〜２３のいずれか１項に記載の医薬組成物。
【請求項２５】  ヒト又はその他の動物における炎症性疾患、血栓症、心臓の問題、及び／又は、血小板誘発性の血液凝固によって引き起こされる状態を治療又は予防するための製剤用キットであって、当該キットが、（ａ）少なくとも１用量の血小板活性化因子（ＰＡＦ）阻害剤と、（ｂ）アラキドン酸カスケードを妨害する少なくとも１用量の抗酸化剤とを含む、前記キット。
【請求項２６】  １ｍｇ／ｋｇ体重〜２５ｍｇ／ｋｇ体重のギンコウ・ビロバ（ギンコウ・フラボン・グリコシド２４％として標準化）と当量の単位用量のギンコウ・ビロバと、６０μｇ／ｋｇ体重〜２０ｍｇ／ｋｇ体重の単位用量のアポシニンとを含む組成物。
【請求項２７】  アポシニン、picrorrhiza kurroa（Kutkin 最小２％として標準化、又は当量）；ラクトフェリン；ギンコウ・ビロバ（ギンコウ・フラボン・グリコシド１８％として標準化、又は当量）；ミツバチ花粉；chlorella pyrenoidosa；ホスファチジルコリン；及びfucus vesiculosusを、１００：２００：６０：１５０：１２０：２５０：１００：２０の比（重量部）で含む組成物。
【請求項２８】  アポシニン、picrorrhiza kurroa（Kutkin 最小２％として標準化、又は当量）；ギンコウ・ビロバ（ギンコウ・フラボン・グリコシド２４％として標準化、又は当量）；chlorella pyrenoidosa；及びホスファチジルコリンを、１８０：３６０：２６０：１００：１００の比（重量部）で含む組成物。
【請求項２９】  組成物であって、アポシニン、picrorrhiza kurroa（Kutkin 最小２％として標準化、又は当量）；ラクトフェリン；ギンコウ・ビロバ（ギンコウ・フラボン・グリコシド２４％として標準化、又は当量）；ミツバチ花粉；chlorella pyrenoidosa；ホスファチジルコリン;及びfucus vesiculosusを、１００：２００：１５０：１００：２８０：１５０：２０の比（重量部）で含む組成物。
【請求項３０】  ギンコウ・ビロバとアポシニンとを含み；
ギンコウ・ビロバ：アポシニンの質量比が約３：１０〜約３．４：１である組成物。
【手続補正書】
【提出日】平成16年6月3日(2004.6.3)
【手続補正１】
【補正対象書類名】明細書
【補正対象項目名】特許請求の範囲
【補正方法】変更
【補正の内容】
【特許請求の範囲】
【請求項１】   有効量の、トルテロジン、ヒドロキシトルテロジンおよび２−（ジイソプロピルアミノ）エチル−１−フェニルシクロペンタンカルボキシレートならびにその医薬上許容される塩よりなる群から選択される化合物を吸入することを特徴とする、喘息、ＣＯＰＤまたはアレルギー性鼻炎を有し、かかる治療を必要とする ウマ の治療方法。
【請求項２】  該吸入がエアゾールを用いることを特徴とする請求項１記載の治療方法。
【請求項３】  該吸入が粉末を用いることを特徴とする請求項１記載の治療方法。
【請求項４】  該有効量が、約０.０５ｍｇないし約１２ｍｇであることを特徴とする請求項１記載の治療方法。
【請求項５】  該 有効量が、約０.１ｍｇないし約６ｍｇであることを特徴とする請求項４記載の治療方法。
【請求項６】  該有効量が、約０.２ｍｇないし約５ｍｇであることを特徴とする請求項５記載の治療方法。
【請求項７】  該化合物がトルテロジンであることを特徴とする請求項１記載の治療方法。
【請求項８】  有効量の、トルテロジン、ヒドロキシトルテロジンおよび２−（ジイソプロピルアミノ）エチル−１−フェニルシクロペンタンカルボキシレートならびにその医薬上許容される塩よりなる群から選択される化合物、および不活性担体剤または不活性担体を含む、治療を必要とするヒトおよびウマよりなる群から選択される哺乳動物における喘息、ＣＯＰＤまたはアレルギー性鼻炎を治療するための医薬組成物。
【請求項９】  該哺乳動物がヒトである請求項８記載の医薬組成物。
【請求項１０】  該吸入がエアゾールを用いる請求項８記載の医薬組成物。
【請求項１１】  該吸入が粉末を用いる 請求項８記載の医薬組成物。
【請求項１２】  該有効量が、約０.０５ｍｇないし約１２ｍｇである請求項８記載の医薬組成物。
【請求項１３】  該 有効量が、約０.１ｍｇないし約６ｍｇである 請求項１２記載の医薬組成物。
【請求項１４】  該 有効量が、約０.２ｍｇないし約５ｍｇである 請求項１３記載の医薬組成物。
【請求項１５】  該化合物がトルテロジンであることを特徴とする請求項８記載の医薬組成物。
【手続補正書】
【提出日】平成15年7月9日(2003.7.9)
【手続補正１】
【補正対象書類名】明細書
【補正対象項目名】特許請求の範囲
【補正方法】変更
【補正の内容】
【特許請求の範囲】
【請求項１】
少なくとも後部ルーフ部材と同後部部材の前部に設けられた第１の部材とからなり、これら２つの部材はそれらが車室を覆う位置、及びそれらが車両の後部荷物室内にほぼ水平に重ね合わされる位置の間を可動である車両用格納式ルーフにおいて、前記後部部材の前記荷物室を指向した移動は前記車両のシャーシ及び前記後部部材に連接された少なくとも１つのアームによって制御されることと、前記後部部材は同後部部材及び前記第１の部材に連接された２つのレバーによって同第１の部材に連結され、これら２つのレバーは変形自在な四辺形を画定することと、前記アームは前記後部部材及び第１の部材を連結する２つのレバーのうちの一方と同アーム及び同レバーに連接された連結ロッドによって関節を有した方式にて連結されることと、前記後部部材の前記荷物室を指向した移動は前記後部部材の後部に担持され前記荷物室内部に延伸する溝内にて摺動可能に係合されたフィンガーによって制御されていることとからなる、車両用格納式ルーフ。
【請求項２】
前記ルーフは前記第１のルーフ部材の前部に設けられた第２のルーフ部材をさらに有し、前記第１の部材は同第１の部材及び前記第２の部材に連接されたさらなる２つのレバーによって同第２の部材に連結され、これら２つのレバーは変形自在な四辺形を画定し、及び、前記アームには連結されず、かつ前記後部部材及び前記第１の部材を連結するレバーは前記第１の部材及び前記第２の部材を連結するレバーのうちの一方に前記レバーに連接された連結ロッドによって連結されている、請求項１に記載の車両用格納式ルーフ。
【請求項３】
前記後部部材の前記荷物室を指向した移動は、前記シャーシ及び前記後部部材の一部と連接された第２のアームによってさらに制御される請求項１又は２に記載の格納式ルーフ。
【手続補正書】
【提出日】平成15年5月2日(2003.5.2)
【手続補正１】
【補正対象書類名】明細書
【補正対象項目名】特許請求の範囲
【補正方法】変更
【補正の内容】
【特許請求の範囲】
【請求項１】
内容物が入る本体、
前記本体に形成されて内容物が排出される出口、
前記出口に密封結合される栓、および
前記本体の側壁および／または底面に形成された折綴誘導手段
を備えた液体容器であって、
前記出口、本体および前記折綴誘導手段がモールディング工程によって合成樹脂材で一体に形成されてなる液体容器。
【請求項２】
前記本体が横方向を基準に少なくとも一つの所に広幅部を備え、前記広幅部が吸引力により内側に平たく折られるようにフレキシブルなものであることを特徴とする請求項１記載の液体容器。
【請求項３】
前記広幅部が本体の一側および／または両側の側壁に形成されることを特徴とする請求項２記載の液体容器。
【請求項４】
前記広幅部が本体の底面に形成されることを特徴とする請求項２記載の液体容器。
【請求項５】
前記折綴誘導手段が本体の側壁および／または底面に線形折綴誘導部を形成して構成されることを特徴とする請求項１記載の液体容器。
【請求項６】
前記折綴誘導手段が本体の側壁および／また底面に多段に折って綴られる折綴誘導部を形成することを特徴とする請求項１記載の液体容器。
【請求項７】
前記折綴誘導手段が本体をフレキシブルに折る合成樹脂で形成されることを特徴とする請求項１記載の液体容器。
【請求項８】
前記本体に形成された流出誘導手段をさらに含むことを特徴とする請求項１記載の液体容器。
【請求項９】
前記流出誘導手段が本体の壁面に内向または外向に形成された流出通路を含むことを特徴とする請求項８記載の液体容器。
【請求項１０】
前記流出誘導手段が本体の側壁に所定の余裕空間に形成された流出通路を含むことを特徴とする請求項８記載の液体容器。
【請求項１１】
前記流出誘導手段が本体の内部の上面で下向に突出された長突起を含むことを特徴とする請求項８記載の液体容器。
【請求項１２】
前記本体に形成された密着防止手段をさらに含むことを特徴とする請求項１記載の液体容器。
【請求項１３】
前記密着防止手段が本体の壁面に内向または外向に形成された突起若しくは溝に構成されることを特徴とする請求項１２記載の液体容器。
【請求項１４】
前記密着防止手段は本体の壁面に陽刻若しくは陰刻された文字および／また図形に構成されたことを特徴とする請求項１２記載の液体容器。
【請求項１５】
前記密着防止手段が本体の内部の上面で下向突出された長突起を含むことを特徴とする請求項１２記載の液体容器。
【請求項１６】
モールディング工程が、ブロー成型法、ダイレクト中孔成型工法およびインジェクション中孔成型工法からなる群のうちから選択された１種であることを特徴とする請求項１記載の液体容器。
【請求項１７】
前記本体の上部より下部が広く形成されたことを特徴とする請求項１記載の液体容器。
【請求項１８】
前記本体の下部の両断を密着させて縫合することを特徴とする請求項１記載の液体容器。
【請求項１９】
前記本体の底面に折綴縫合台を接着するすることを特徴とする請求項１記載の液体容器。
【請求項２０】
栓が出口の外周に締結され、截取線により区画されて本体の掛かる敷居に掛かる偽造防止輪を含むことを特徴とする請求項１記載の液体容器。
【請求項２１】
前記栓が出口の上段に截取線を介して一体に連結形成されることを特徴とする請求項１記載の液体容器。
【請求項２２】
前記栓が上段部に形成されたハンドルをさらに含むことを特徴とする請求項２１記載の液体容器。
【請求項２３】
前記出口にベローズベンディング部を形成したことを特徴とする請求項１記載の液体容器。
【請求項２４】
前記出口に液体充填時、連続的に容器が供給されるように掛り溝を備える掛り部が一体に形成されることを特徴とする請求項１記載の液体容器。
【手続補正２】
【補正対象書類名】明細書
【補正対象項目名】００１１
【補正方法】変更
【補正の内容】
【００１１】
前記目的を達成するために、本発明の液体容器は内容物が入る本体、
前記本体に形成されて内容物が排出される出口、
前記出口に密封結合される栓、および
前記本体の側壁および／または底面に形成された折綴誘導手段
を備えた液体容器であって、
前記出口、本体および前記折綴誘導手段がモールディング工程によって合成樹脂材で一体に形成されてなることを特徴とする。
【手続補正書】
【提出日】平成16年8月26日(2004.8.26)
【手続補正１】
【補正対象書類名】明細書
【補正対象項目名】特許請求の範囲
【補正方法】変更
【補正の内容】
【特許請求の範囲】
【請求項１】  フォークリフトトラックにより取り扱われるようになっていて断面が略Ｌ字形状部分をなす積載装置（１）であって、対応する積載装置に協働しつつボックス（３）の底部に配置され、各積載装置は前記ボックスの平行な二つの下方縁部（３ａ、３ｂ）のうちの一方にそれぞれ設けられ、周囲ストラップ（５）またはパッケージ用フィルムにより前記ボックスに当接して保持され、それにより、前記ボックスの脚部を形成でき、さらに、前記Ｌ字形状部分の一方のウェブ（２）には少なくとも二つの型押し中空突出部（７’、７’’、７’’’）が前記積載装置の支持表面に対面するようになっている表面に設けられている積載装置において、
前記突出部のうちの最遠の二つの突出部（７’、７’’’）であって一列をなして配置されている突出部（７’、７’’’）は前記積載装置の長さ（ｌ）の少なくとも半分である間隔（ａ）を空けて配置されていると共に前記ウェブ（２）の幅（ｂ２）よりも小さいかまたは幅（ｂ２）の半分に等しい幅（ｂ）とを有しており、前記突出部（７’、７’’、７’’’）は前記Ｌ字形状部分のウェブ（２、６）が収束するこれらウェブの縁部（４）に概ね当接するようにしており、
フォークリフトトラックのフォーク部が前記突出部の間の前記間隔に挿入できるようになっている積載装置。
【請求項２】  小型型押し突出部（７’、７’’’）が前記一つのウェブ（２）の両端部においてまたは該ウェブ（２）の両端部に隣接して設けられており、大型型押し突出部（７’’）が前記二つの小型型押し突出部（７’、７’’’）の間に設けられている請求項１に記載の積載装置。
【請求項３】  前記突出部（７’、７’’、７’’’）が略角錐型形状である請求項１または２に記載の積載装置。
【請求項４】  前記大型突出部（７’’）の長さ（ｘ’’）が前記小型突出部（７’、７’’’）の長さ（ｘ）の１倍から３．５倍である請求項１から３のいずれか１項に記載の積載装置。
【請求項５】  前記略Ｌ字形状断面をなす前記ウェブ（２、６）の間の角度（ｖ）が８２°と８８°との間である請求項１から４のいずれか一項に記載の積載装置。
【請求項６】  前記各突出部（７’、７’’、７’’’）の壁部には型押し補強用リブ（１０ａ、１０ｂ、１０ｃ）が前記突出部周りに設けられている請求項１から５のいずれか一項に記載の積載装置。
【請求項７】  案内用溝または案内用突出部（１０ａ、１０ｂ、１０ｃ）が前記ボックス（３）から遠ざかる方向を向いた表面において少なくとも前記Ｌ字形状部分の前記第２のウェブ（６）に設けられており、前記溝は前記積載装置および前記ボックス（３）周りに巻かれる前記ストラップ（５）を位置決めするようになっているか、または前記積載装置および前記ボックス（３）周りに巻かれるプラスチック製フィルムを安定化させるようになっている請求項１から６のいずれか一項に記載の積載装置。
【請求項８】  前記Ｌ字形状部分の前記第２のウェブ（６）の幅ｂ６が前記Ｌ字形状部分の前記第１のウェブの幅（ｂ２）の約半分である請求項１から７のいずれか一項に記載の積載装置。
【請求項９】  前記積載装置がポリプロピレン（ＰＰ）より形成されており、前記突出部（７’、７’’、７’’’）の前記外面が熱可塑性エラストマ（ＴＰＥ）により被覆されており、前記熱可塑性エラストマの支持表面に対する摩擦係数μが少なくとも０．５である請求項１から８のいずれか一項に記載の積載装置。
【請求項１０】  前記積載装置の長さ（ｌ）が７５０ｍｍと７７０ｍｍとの間であり、前記突出部（７’、７’’、７’’’）の高さ（ｈ）がフォークリフトトラックのフォーク部の厚さをわずかに越えていて好ましくは３５ｍｍから４０ｍｍである請求項１から９のいずれか一項に記載の積載装置。
【請求項１１】  前記小型突出部（７’、７’’’）の長さ（ｘ）が前記小型突出部（７’、７’’’）の幅（ｂ）よりも小さいかまたは幅（ｂ）の半分に等しいようにした請求項１から１０のいずれか一項に記載の積載装置。
【請求項１２】  前記大型突出部（７’’）の幅（ｂ’’）が前記小型突出部（７’、７’’’）の幅（ｂ）の半分よりも小さいようにした請求項１から１１のいずれか一項に記載の積載装置。
【手続補正書】
【提出日】平成16年11月10日(2004.11.10)
【手続補正１】
【補正対象書類名】明細書
【補正対象項目名】請求項１０
【補正方法】変更
【補正の内容】
【請求項１０】  式（Ｉ）
【化１】
2004513929.tif 000001
［式中、Ｗは酸素原子またはＮＲ基であり、その際、Ｒは水素原子、ヒドロキシル基、置換されていてもよいＣ１〜Ｃ８の環式、直鎖または分枝鎖のアルキルまたはアルケニル基または置換されていてもよい芳香族基であり、；かつＲａおよびＲｂが、同時にかまたは独立して水素、置換されていてもよい芳香族基、置換されていてもよい環式、直鎖または分枝鎖のアルキル基またはアルケニル基であるか、あるいは置換されていてもよいヘテロ環式基であるか；あるいはＲａ、ＲｂおよびＲの２個が一緒になって、置換されていてもよい環を形成し；
その際、Ｒａ、ＲｂおよびＲの可能な置換基は、ハロゲン原子、ＯＲｃ、ＮＲｃ２またはＲｃ基であり、その際、Ｒｃは水素原子またはＣ１〜Ｃ１０環式、直鎖または分枝鎖のアルキルまたはアルケニル基である］の基質を還元することによって、式（Ｉ’）
【化２】
2004513929.tif 000002
［式中、Ｗ、ＲａおよびＲｂは式（Ｉ）に示したものである］の相当する水素化化合物が得られる、請求項１から９までのいずれか１項に記載の方法。
【手続補正２】
【補正対象書類名】明細書
【補正対象項目名】００１２
【補正方法】変更
【補正の内容】
【００１２】
［式中、Ｗは酸素原子またはＮＲ基であり、その際、Ｒは水素原子、ヒドロキシ基、置換されていてもよいＣ１〜Ｃ８環式、直鎖または分枝鎖のアルキル基またはアルケニル基、あるいは置換されていてもよい芳香族環であり；かつＲａおよびＲｂは同時かまたは独立して水素、置換されていてもよい芳香族基、置換されていてもよい環式、直鎖または分枝鎖のアルキル基またはアルケニル基であるか、あるいは置換されていてもよいヘテロ環式基であるか；あるいはＲａおよびＲｂおよびＲの２個の基は一緒になって、置換されていてもよい環を形成する］の基質を還元することによって、式（Ｉ’）
【手続補正書】
【提出日】平成16年1月26日(2004.1.26)
【手続補正１】
【補正対象書類名】明細書
【補正対象項目名】特許請求の範囲
【補正方法】変更
【補正の内容】
【特許請求の範囲】
【請求項１】
式（Ｉ）：
【化１】
2004513923.tif 000001
［式中：
Ａ１は置換または非置換の芳香族ヘテロサイクリル基を意味し；
Ｒ１は水素原子、アルキル基、アシル基、アラルキル基（アリール基は置換されているか、または非置換であってもよい）または置換または非置換のアリール基であってもよく；
Ｒ２およびＲ３は、各々、水素を意味するか、またはＲ２およびＲ３は、一緒になって結合を意味し；
Ａ２は、全部で５つまでの置換基を有するベンゼン環を意味し；および
ｎは、２〜６の範囲の整数を意味する］
で示される化合物、またはその互変異性体またはその医薬上許容される塩、あるいはその医薬上許容される溶媒和物のようなインスリン感作剤またはＰＰＡＲγアゴニストの、骨質量喪失に付随する疾患、例えば骨粗鬆症および骨減少症に関連する疾患、パジェット病、副甲状腺機能亢進症および関連疾患の治療および／または予防のための医薬の製造における使用：ただし、インスリン感作剤またはＰＰＡＲγアゴニストは、トログリタゾンまたは式（Ａ）で示される化合物もしくはその医薬上許容される誘導体を含まない。
【請求項２】
骨質量喪失に付随する疾患が骨粗鬆症である請求項１記載の使用。
【請求項３】
骨質量喪失に付随する疾患がパジェット病である請求項１記載の使用。
【請求項４】
骨質量喪失に付随する疾患が副甲状腺機能亢進症である請求項１記載の使用。
【請求項５】
式（Ｉ）で示される化合物が、５−［４−［２−（Ｎ−メチル−Ｎ−（２−ピリジル）アミノ）エトキシ］ベンジル］チアゾリジン−２，４−ジオン（化合物（Ｉ））またはその互変異性体および／またはその医薬上許容される塩および／またはその医薬上許容される溶媒和物である請求項１〜４いずれか１項記載の使用。
【請求項６】
化合物（Ｉ）がマレイン酸塩の形態である請求項５記載の使用。
【請求項７】
インスリン感作剤またはＰＰＡＲγアゴニストが、２（Ｓ）−（２−ベンゾイル−フェニルアミノ）−３−｛４−［２−５−メチル−２−フェニル−オキサゾール−４−イル）−エトキシ］−フェニル｝−プロピオン酸または５−［４−［２−（５−エチルピリジン−２−イル）エトキシ］ベンジル］チアゾリジン−２，４−ジオン（またはピオグリタゾン）；またはその医薬上許容される塩もしくはその医薬上許容される溶媒和物のようなその医薬上許容される誘導体である請求項１記載の使用。
【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
安定な遊離ニトロキシルラジカルの存在下における、４０℃ないし９５℃の間の温度、５ないし３０バールの間の圧力での塩化ビニルの制御された遊離ラジカル重合または共重合法。
【請求項２】
前記重合または共重合が、懸濁状態で行なわれる請求項１記載の方法。
【請求項３】
第一工程において、塩化ビニルを重合し、そして第二工程において異なるエチレン性不飽和モノマーをポリ塩化ビニルへ添加し、そしてブロック共重合によりＡ−Ｂブロックを形成する請求項１記載の方法。
【請求項４】
熱処理によってポリ塩化ビニルラジカル及びニトロキシルラジカルに分解され得る、酸素原子を介して結合した熱的に不安定なニトロキシル基を有するポリ塩化ビニル高分子開始剤。
【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】  洗剤組成物におけるカチオン性コポリマーの水性溶液の使用であって、カチオン性コポリマーがカチオン性モノマー及び非イオン性モノマーから形成され、カチオン性コポリマーが３０，０００〜３００，０００の範囲の平均分子量を有し、水性溶液が２０〜５０重量％の濃度及び２５℃で１０，０００cP未満の粘度を有することを特徴とする使用。
【請求項２】  コポリマーが非イオン性モノマー単位２５〜９０重量％及びカチオン性モノマー単位１０〜７５重量％を含む、請求項１記載の使用。
【請求項３】  非イオン性モノマーが、不飽和Ｎ置換アミド、１個又は多数のヒドロキシ官能基を有する（メタ）アクリレート、又はアクリルアミド及びそれらの誘導体からなる群より選択される、請求項１又は２に記載の使用。
【請求項４】  カチオン性モノマーが、ジアリルジアルキルアンモニウムハライド、ジアルキルアミノアルキル（メタ）アクリルアミド、ジアルキルアミノアルキル（メタ）アクリレート、それらの酸付加塩及び第四級アンモニウム塩からなる群より選択される、請求項１〜３のいずれか１項に記載の使用。
【請求項５】  カチオン性ポリマー及び水及び／又は化粧品的に許容しうる溶剤を含む化粧品配合物であって、
２０〜５０重量％の濃度及び２５℃で１０，０００cP未満の粘度を有する、分子量３０，０００〜３００，０００の範囲のカチオン性コポリマーを含む水性溶液を使用して形成されたことを特徴とする配合物。
【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】  化学療法および放射線療法の少なくともいずれかを含むガン治療の副作用としての粘膜部位の粘膜炎の治療に有用な治療組成物であって、
担体液と、
０．１重量パーセント〜２５重量パーセントの、粘膜炎予防と粘膜炎治療のうちの少なくとも一方に治療効果を与えるのに有効な少なくとも１種の医薬物質と、前記医薬物質は、グルタチオンおよびグルタチオン生合成の前駆体のうちから選択されることと、
５重量パーセント〜２０重量パーセントの、前記医薬物質とは異なる生体適合性ポリオキシアルキレンブロックコポリマーとを含み、
該治療組成物は１℃〜２０℃の範囲のうちの少なくともある温度において流動可能な媒体の形態である治療組成物。
【請求項２】  前記治療組成物は、１℃〜３７℃の少なくともある温度範囲にわたって可逆性熱粘性挙動を示す、請求項１に記載の治療組成物。
【請求項３】  ２０重量パーセント未満の医薬物質を含む、請求項１または２のいずれか１項に記載の治療組成物。
【請求項４】  ０．１重量パーセント〜１０重量パーセントの医薬物質を含む、請求項１乃至３のいずれか１項に記載の治療組成物。
【請求項５】  医薬物質がチオール含有化合物を含んでなる、請求項１乃至４のいずれか１項に記載の治療組成物。
【請求項６】  医薬物質が、グルタチオン生合成のためのシステインまたはシステインの前駆体を提供する、請求項１乃至５のいずれか１項に記載の治療組成物。
【請求項７】  医薬物質が硫黄含有抗酸化剤を含んでなる、請求項１乃至６のいずれか１項に記載の治療組成物。
【請求項８】  医薬物質がＮ−アセチルシステインを含む、請求項１乃至４のいずれか１項に記載の治療組成物。
【請求項９】  医薬物質がプロシステインを含む、請求項１乃至４のいずれか１項に記載の治療組成物。
【請求項１０】  医薬物質がリポ酸を含む、請求項１乃至４のいずれか１項に記載の治療組成物。
【請求項１１】  医薬物質がｓ−アリルシステインを含む、請求項１乃至４のいずれか１項に記載の治療組成物。
【請求項１２】  医薬物質が、塩化メチルメチオニンスルホニウムを含む、請求項１
乃至４のいずれか１項に記載の方法。
【請求項１３】  医薬物質が、Ｓ−カルボキシメチルシステインを含む、請求項１乃至４のいずれか１項に記載の方法。
【請求項１４】  １〜２０℃の少なくともある温度範囲にわたって可逆性熱粘性挙動を示す、請求項１乃至１３のいずれか１項に記載の治療組成物。
【請求項１５】  治療組成物中に配合される生体適合性ポリオキシアルキレンコポリマーが、１〜３７℃の範囲内の可逆性熱液体−ゲル転移温度を有し、そのために、治療組成物は、該治療組成物の温度が可逆性熱ゲル転移温度より低い温度から高い温度に上昇するとゲルになる、請求項１乃至１４のいずれか１項に記載の治療組成物。
【請求項１６】  該治療組成物の温度が５℃のとき、前記生体適合性ポリマーは担体液に溶解する、請求項１乃至１５のいずれか１項に記載の治療組成物。
【請求項１７】  該治療組成物の温度が５℃のとき、医薬物質は担体液に溶解する、請求項１６のいずれか１項に記載の治療組成物。
【請求項１８】  前記医薬物質とも前記生体適合性ポリマーとも異なる浸透促進剤を含む、請求項１に記載の治療組成物。
【請求項１９】  浸透促進剤が、キトサン、キトサン誘導体、脂肪酸、クエン酸、サリチレート、カプリル／カプリン酸グリセリド、カプリル酸ナトリウム、カプリン酸ナトリウム、ラウリン酸ナトリウム、グリシルレチン酸ナトリウム、グリチルリチン酸ジカリウム、グリチルレチン酸コハク酸水素のジナトリウム塩、アシルカルニチン、胆汁酸塩およびリン脂質のうちから選択される、請求項１８に記載の治療組成物。
【請求項２０】  医薬物質および生体適合性ポリマーとは異なる生体接着剤を含む、請求項１乃至１９のいずれか１項に記載の治療組成物。
【請求項２１】  生体接着剤が、ポロキサマー、ムチン糖タンパク質、トレフォイルペプチド、セルロース誘導体およびカルボマーのうちから選択される、請求項２０に記載の治療組成物。
【請求項２２】  生体接着剤がカルボフィルポリマーである、請求項２１に記載の治療組成物。
【請求項２３】  少なくとも１種の味覚マスキング成分を含んでなる、請求項１乃至２２のいずれか１項に記載の治療組成物。
【請求項２４】  味覚マスキング成分が、果実香味料、ミント香味料、チョコレート香味料、食塩および砂糖のうちから選択される、請求項２３に記載の治療組成物。
【請求項２５】  味覚マスキング成分が治療組成物にレモン香味を付与する、請求項２３に記載の治療組成物。
【請求項２６】  少なくとも１種の防腐成分を含んでなる、請求項１乃至２５のいずれか１項に記載の治療組成物。
【請求項２７】  防腐成分が、抗酸化剤、抗真菌剤および抗菌剤のうちから選択される、請求項２６に記載の治療組成物。
【請求項２８】  防腐成分が安息香酸ナトリウムである、請求項２６に記載の治療組成物。
【請求項２９】  防腐成分がパラベンである、請求項２６に記載の治療組成物。
【請求項３０】  該治療組成物が、経口用液剤形態である、請求項１乃至３０のいずれか１項に記載の治療組成物。
【請求項３１】  化学療法および放射線療法の少なくともいずれかを含むガン治療の副作用としての粘膜炎を治療するための請求項１乃至３０のいずれか１項に記載の治療組成物の使用法。
【請求項３２】  前記粘膜炎が口腔粘膜炎である請求項３１に記載の使用法。
【請求項３３】  化学療法および放射線療法の少なくともいずれかを含むガン治療の副作用としての粘膜炎を治療するための、医薬物質および生体適合性ポリマーを含む治療組成物の使用法であって、前記医薬物質が硫黄含有抗酸化剤を含む、使用法。
【請求項３４】  前記硫黄含有抗酸化剤がグルタチオンである請求項３３に記載の使
用法。
【請求項３５】  前記硫黄含有抗酸化剤がグルタチオン生合成の前駆体である請求項３３に記載の使用法。
【請求項３６】  前記グルタチオン生合成の前駆体がグルタチオン生合成のためにシステインを提供する請求項３５に記載の使用法。
【請求項３７】  前記グルタチオン生合成の前駆体がグルタチオン生合成のためにシステインの前駆体を提供する請求項３５に記載の使用法。
【請求項３８】  前記硫黄含有抗酸化剤がＮ−アセチルシステインである請求項３３に記載の使用法。
【請求項３９】  前記生体適合性ポリマーがポリオキシアルキレンブロックコポリマーである請求項３３乃至３８のいずれか１項に記載の使用法。
【請求項４０】  前記ポリオキシアルキレンブロックコポリマーがポリオキシエチレン−ポリオキシプロピレンブロックコポリマーである請求項３９記載の使用法。
【請求項４１】  前記治療組成物が口腔内に導入するための経口用液剤である請求項３３乃至４０のいずれか１項に記載の使用法。
【請求項４２】  前記粘膜炎が、口腔粘膜炎である請求項３３乃至４１のいずれか１項に記載の使用法。
【請求項４３】  前記粘膜炎が、食道炎である請求項３３乃至４２のいずれか１項に記載の使用法。
【手続補正書】
【提出日】平成15年6月23日(2003.6.23)
【手続補正１】
【補正対象書類名】明細書
【補正対象項目名】特許請求の範囲
【補正方法】変更
【補正の内容】
【特許請求の範囲】
【請求項１】
物質の微粒子を形成する方法であって、該方法は、該物質を含有する非ガス状流体を、該流体を膨張させるための濃密ガスと接触させる工程を包含し、該濃密ガスが、（ａ）反溶媒および（ｂ）該反溶媒の極性を改変する改変剤を含む、方法。
【請求項２】
前記反溶媒が、非ガス状流体のｐＨを有意に変化させない、請求項１に記載の方法。
【請求項３】
前記物質が、ｐＨ感受性である、請求項１または２に記載の方法。
【請求項４】
前記物質が、生物学的に活性である、請求項１〜３のいずれか１項に記載の方法。
【請求項５】
請求項１〜４のいずれか１項に記載の方法であって、ここで、前記改変剤が、前記反溶媒の極性を改変し、かつ前記非ガス状流体に対して抽出剤として作用する、方法。
【請求項６】
前記非ガス状流体が、水溶液である、請求項１〜５のいずれか１項に記載の方法。
【請求項７】
請求項１〜６のいずれか１項に記載の方法であって、ここで、前記反溶媒が、Ｃ１−４アルカンガス、Ｃ２−４アルケンガス、Ｃ２−４アルキンガス、冷媒Ｒ１３４ａ、またはこれらの２種以上、好ましくはアルカンガス、最も好ましくはエタンからなる群から選択される、方法。
【請求項８】
請求項１〜７のいずれか１項に記載の方法であって、ここで、前記改変剤が、Ｃ１−６アルカノール、Ｃ１−６チオールおよびＣ１−６アミン、好ましくはエタノールからなる群から選択される、方法。
【請求項９】
請求項１〜８のいずれか１項に記載の方法であって、ここで、十分な改変剤が、実質的に全ての非ガス状流体を抽出するのに使用され、前記物質の沈殿を促進する、方法。
【請求項１０】
前記物質を含有する前記非ガス状流体と前記濃密ガスが、単一の相として維持される、請求項１〜９のいずれか１項に記載の方法。
【請求項１１】
前記濃密ガスが、５℃〜４５℃の間であり、そして５〜２００ｂａｒの間の圧力である、請求項１〜１０のいずれか１項に記載の方法。
【請求項１２】
請求項１〜１１のいずれか１項に記載の方法であって、前記物質が、タンパク質、核酸、リポソーム、脂質（リン脂質を含む）、水溶性ポリマー、制御送達コーティング、界面活性剤および植物ステロール（天然もしくは合成）からなる群から選択される、方法。
【請求項１３】
前記形成された粒子の約５０％が、直径１０，０００ナノメートル未満、好ましくは直径６２５〜１０，０００ナノメートルの間である、請求項１〜１２のいずれか１項に記載の方法。
【請求項１４】
前記形成された粒子の５０％より多くが、６，５００ナノメートルより小さい、請求項１〜１３のいずれか１項に記載の方法。
【請求項１５】
請求項１〜１４のいずれか１項に記載の方法であって、前記反溶媒および改変剤が、前記非ガス状流体と接触される前に合わせられる、方法。
【請求項１６】
請求項１〜１５のいずれか１項に記載の方法によって形成される、物質の微粒子。
【請求項１７】
前記粒子が、主として生物学的に活性なインスリンを含有する、請求項１６に記載の微粒子。
【請求項１８】
請求項１〜１７のいずれか１項に記載の方法によって生産される微粒子の形態である、ｐＨ感受性の生物学的活性物質。
【請求項１９】
有効量の薬学的組成物の被験体への投与によって被験体を処置するｔａｍｅｎｏ薬学的組成物の製造における、請求項１〜１５のいずれか１項に記載の方法によって形成される微粒子、請求項１６〜１７のいずれか１項に記載の微粒子または請求項１８の物質の使用。
【請求項２０】
前記物質の投与が、吸入による、請求項１９に記載の微粒子の使用。
【請求項２１】
投与が、経皮適用、経口、徐放または持続性放出である、請求項１９に記載の微粒子の使用。
【請求項２２】
インスリン依存性糖尿病が、インスリン粒子の投与によって処置される、請求項１９〜２１のいずれか１項に記載の微粒子の使用。
【請求項２３】
請求項１〜１５のいずれか１項に記載の方法であって、前記微粒子が、該粒子が形成される第１の容器から濃密ガスと共に第２の収集容器に流れ、該第２の容器から該粒子が収集され、該第２の収集容器は、入口および入り口上部に配置された出口を有し、ここで、該微粒子および濃密流体は、該入口を通過し、そして出口を通る濃密流体の流れを、該第２の収集容器から収集され得る微粒子の比率を最大限にするように調節する、方法。
【手続補正書】
【提出日】平成16年11月15日(2004.11.15)
【手続補正１】
【補正対象書類名】明細書
【補正対象項目名】特許請求の範囲
【補正方法】変更
【補正の内容】
【特許請求の範囲】
【請求項１】  ａ）リコペンを超臨界流体中に可溶化させることのできる条件下でリコペン源を超臨界流体と接触させ；次いで
ｂ）段階ａ）で得られたリコペンを含む超臨界流体を減圧することにより有機溶媒不含（ＦＯＳ）のリコペン濃縮物を分離する
ことを含む、リコペン濃縮物ＦＯＳを得る方法であって、
リコペンを含む超臨界流体が、１０Ｍｐａに等しいかまたはそれよりも高い圧力にまで減圧され、４０℃ないし６０℃の間の温度にされることを特徴とする方法。
【請求項２】  リコペン源がリコペンを含む産物である請求項１記載の方法。
【請求項３】  リコペン源がトマト加工産業からの産業廃棄物に相当するものである請求項１記載の方法。
【請求項４】  リコペン源がトマトの種子を伴っていてもよいトマトの皮に相当するものである請求項１記載の方法。
【請求項５】  リコペン源を超臨界流体に接触させる前に、リコペン源を乾燥させ粉砕することを含む請求項１記載の方法。
【請求項６】  水分が１ないし１０％となるまで乾燥段階が行なわれる請求項５記載の方法。
【請求項７】  ０．３ないし１．５ｍｍの粒子サイズの生成物が得られるまでリコペン源の粉砕段階が行なわれる請求項５記載の方法。
【請求項８】  超臨界流体が二酸化炭素、エチレン、エタン、クロロトリフルオロメタンおよびプロピレンから選択されるものである請求項１記載の方法。
【請求項９】  超臨界流体が二酸化炭素である請求項８記載の方法。
【請求項１０】  ３０ＭＰａに等しいかまたはそれ以上の作動圧力において段階ａ）が行なわれる請求項１記載の方法。
【請求項１１】  ３０ＭＰａないし７０ＭＰａの作動圧力において段階ａ）が行なわれる請求項１０記載の方法。
【請求項１２】  ８０℃に等しいかまたはそれ未満の温度において段階ａ）が行なわれる請求項１記載の方法。
【請求項１３】  ５０℃ないし８０℃の温度において段階ａ）が行なわれる請求項１２記載の方法。
【手続補正書】
【提出日】平成16年10月5日(2004.10.5)
【手続補正１】
【補正対象書類名】明細書
【補正対象項目名】特許請求の範囲
【補正方法】変更
【補正の内容】
【特許請求の範囲】
【請求項１】  ヒトまたは非ヒト哺乳類への非経口的投与のための微粒子であって、生物学的活性物質を含有し、そして本質的に化学的に錯結合していない形態および０.０５〜３０μmの範囲内の平均サイズを有する固体粒子の形態で該生物学的活性物質を含有するマトリックスとしての非経口的投与可能な生物分解性澱粉から本質的に構成されている微粒子。
【請求項２】  澱粉が８５重量％を超えるアミロペクチン含有量を有し、その澱粉の少なくとも８０重量％が１０〜１０,０００kDaの範囲内の平均分子量を有する、請求項１に記載の微粒子。
【請求項３】  澱粉が、澱粉の乾燥重量１ｇ当たり５０μg未満のアミノ酸窒素含有量を有し、そして微粒子が、澱粉分子間に共有化学架橋結合を含まない、請求項１または２に記載の微粒子。
【請求項４】  ａ）微粒子に取り込まれる生物学的活性物質の水溶液を調製し、
ｂ）段階ａ）で得られた溶液とポリエチレングリコール（ＰＥＧ）の水溶液とを、生物学的活性物質が濃縮および／または固化するような条件下で混合し、
ｃ）場合により、段階ｂ）で得られた濃縮および／または固化した生物学的活性物質を洗浄し、
ｄ）段階ｂ）またはｃ）で得られた濃縮および／または固化した生物学的活性物質を澱粉水溶液と混合して、生物学的活性物質と澱粉を含む組成物を形成し、
ｅ）段階ｄ）で得られた組成物と二相水性系の形成能を有するポリマーの水溶液とを混合して、該生物学的活性物質を内相とし、該ポリマー溶液を外相として含有する澱粉液滴のエマルジョンを形成し、
ｆ）段階ｅ）で得られた澱粉液滴を固化させるかまたは固化を可能にして澱粉微粒子にし、
ｇ）段階ｆ）からの澱粉微粒子を乾燥し、そして
ｈ）場合により、段階ｇ）からの乾燥澱粉微粒子に生体親和性および生物分解性ポリマーの放出制御性外皮を施すことを含む、
生物学的活性物質を含有する非経口的投与可能な微粒子の製造方法。
【請求項５】  さらに以下：（ｉ）乾燥段階ｇ）を噴霧乾燥、凍結乾燥または真空乾燥から選ばれる１もしくはそれ以上の方法で行い、（ii）微粒子を構成する生物学的活性物質をタンパク質、組み換え産生タンパク質、ペプチド、ポリペプチド、ポリヌクレオチ
ドおよびポリサッカライドからなる群から選択し、そして（iii）段階ｈ）における放出制御性外皮の適用をエアサスペンション技術により行うこと、の１またはそれ以上からなる請求項４の方法により得られまたは形成される、放出制御性外皮を有する請求項１〜３の何れか１項に記載の微粒子。
【請求項６】  請求項４または５の方法によって得られうる微粒子。